(57)【特許請求の範囲】
【請求項１】
扉枠１の受け金具部材２と対向するように、扉７の内壁面７ａに取付けられる扉錠の解錠機構Ｘであって、解錠機構Ｘは、扉７の開放端部側に背面部１１ａが利用者に見えるように扉７の開放端部側の取付けベース板１４に形成された切欠部１５に複数個の軸受板１７，３０並びにこれらの軸受板１７，３０にそれぞれ設けられた第１と第２の固定軸２４，３３を介して揺動可能に軸支されたタッチプレート１１と、このタッチプレート１１の頭部１６の腹面部１１ｂに前記第１の固定軸２４及びタッチプレート側の可動軸３７を介して軸支され、かつ、タッチプレート用バネ部材２１のバネ力に抗して回転するタッチプレート１１の揺動に追従して回動する駆動片３６と、この駆動片３６の駆動腕３９が係合する係合孔４４を有すると共に錠箱８に摺動自在に設けられた従動片４１及び該従動片４１とボルト部材１２とを連結するリンク４２とから成るボルト引込み用連係部材１３とを備える扉錠の解錠機構。
【請求項２】
請求項１に於いて、タッチプレート１１は、切欠部１５内にその下方部から上方部に至るにしたがって扉７の内壁面７ａからやや斜め状態に突出するように第１及び第２の固定軸２４、３３を介して軸支されていることを特徴とする扉錠の解錠機構。
【請求項３】
請求項１に於いて、駆動片３６は、タッチプレート１１の頭部１６の腹面部１１ｂに形成された第１の凹所２７内に位置していると共に可動軸３７に軸支された基部３８と、この基部３８から錠箱８に指向してタッチプレートから水平状態に常に突出する駆動腕３９とから成り、前記基部３８から下方へと延在する反対側の端部を枢支する第１の固定軸２４は、タッチプレート１１の頭部側壁に形成された案内長孔２５を貫通していることを特徴とする扉錠の解錠機構。
【請求項４】
請求項１に於いて、錠箱８には、さらに後退動したボルト部材１２を一時的にロックする錠止機構Ｙが付設され、該錠止機構Ｙは、扉枠１側の磁石式起動手段６の磁極に対応して反発する第２永久磁石５３を有するトリガー部材５２と、このトリガー部材５２を突出方向に常時付勢するトリガーバネ５４と、トリガー部材５２の後端部側とボルト部材１２のボルト本体部１２ｂとの間に枢軸５６を介して横方向に配設されかつボルト部材１２の係合部５０に係合可能な係止爪５５ａを有するバー状ロック片５５と、トリガー部材５２の後端部に固定されたロック片用係合押圧片５８と、前記バー状ロック片５５を軸支する枢軸５６に設けられたロックバネ５７とを備えることを特徴とする扉錠の解錠機構。
【請求項５】
請求項１に於いて、錠箱８には、さらに後退動したボルト部材１２を一時的にロックする錠止機構Ｙが付設され、該錠止機構Ｙは、扉枠１側の受け金具部材２Ａに摺接するローラ５３Ａを有するトリガー部材５２Ａと、このトリガー部材５２Ａを突出方向に常時付勢するトリガーバネ５４と、トリガー部材５２の後端部側とボルト部材１２のボルト本体部１２ｂとの間に枢軸５６を介して横方向に配設されかつボルト部材１２の係合部５０に係合可能な係止爪５５ａを有するバー状ロック片５５と、トリガー部材５２の後端部に固定されたロック片用係合押圧片５８と、前記バー状ロック片５５を軸支する枢軸５６に設けられたロックバネ５７とを備えることを特徴とする扉錠の解錠機構。
【発明の詳細な説明】
【０００１】
【発明の属する技術分野】
本発明は、ドア錠に関し、不特定多数の人が利用する駅、公園等公衆トイレのドアの錠に適合する。
【０００２】
【従来の技術】
公衆トイレのドア錠６０は、図１１で示すようにドアａの内壁面の側端部に水平状態に取付けられている。このドア錠６０は、基本的には内壁面に固着具を介して固定されたガイド部材６１と、このガイド部材６１の端面Ｔ字型のカイド部６２にスライド係合し、かつ、ドアａと合致する出入口前壁ｂの内壁面に取付けられたＬ型受け金具６３の受け部６４と係脱する端面リップミゾ形のデッドプレート６５とから成る。
【０００３】
上記構成のドア錠６０にあっては、デッドプレート６５を指で直接又は摘みを介して間接的に掴み、施錠並びに解錠方向へと引かなければならない。ところで、近年、バリヤ・フリーの思想が発達するにしたがって、不特定多数の人が利用するドア錠も、身体障害者や高齢者に優しい（日常生活で不便さを感じない意味）装置であることが望まれている。
【０００４】
【発明が解決しようとする課題】
本発明は以上のような従来の要望点に鑑み、第１の目的は特に身体障害者や高齢者に優しい扉錠の解錠機構を提供することである。第２の目的はワンタッチ操作でデッド部材の解錠ができることである。第３の目的は各部材を合理的に組み立てることができることである。第４の目的は錠箱内の空間を有効的に活用し、解錠方向へと後退動したボルト部材を一時的にロックする錠止機構Ｙが合理的に付設することである。
【０００５】
【課題を解決するための手段】
本発明の扉錠の解錠機構は、扉枠１の受け金具部材２と対向するように、扉７の内壁面７ａに取付けられる扉錠の解錠機構Ｘであって、解錠機構Ｘは、扉７の開放端部側に背面部１１ａが利用者に見えるように扉７の開放端部側の取付けベース板１４に形成された切欠部１５に複数個の軸受板１７，３０並びにこれらの軸受板１７，３０にそれぞれ設けられた第１と第２の固定軸２４，３３を介して揺動可能に軸支されたタッチプレート１１と、このタッチプレート１１の頭部１６の腹面部１１ｂに前記第１の固定軸２４及びタッチプレート側の可動軸３７を介して軸支され、かつ、タッチプレート用バネ部材２１のバネ力に抗して回転するタッチプレート１１の揺動に追従して回動する駆動片３６と、この駆動片３６の駆動腕３９が係合する係合孔４４を有すると共に錠箱８に摺動自在に設けられた従動片４１及び該従動片４１とボルト部材１２とを連結するリンク４２とから成るボルト引込み用連係部材１３とを備えることを特徴とする。
【０００６】
上記構成に於いて、錠箱８には、さらに後退動したボルト部材１２を一時的にロックする錠止機構Ｙが付設され、該錠止機構Ｙは、扉枠１側の磁石式起動手段６の磁極に対応して反発する第２永久磁石５３を有するトリガー部材５２と、このトリガー部材５２を突出方向に常時付勢するトリガーバネ５４と、トリガー部材５２の後端部側とボルト部材１２のボルト本体部１２ｂとの間に枢軸５６を介して横方向に配設されかつボルト部材１２の係合部５０に係合可能な係止爪５５ａを有するバー状ロック片５５と、トリガー部材５２の後端部に固定されたロック片用係合押圧片５８と、前記バー状ロック片５５を軸支する枢軸５６に設けられたロックバネ５７とを備えることを特徴とする。
【０００７】
【発明の実施の形態】
図１は、駅、公園等の公衆トイレの扉に取付けた実施形態の一例を概略的に示す。ここで、実施形態の環境を説明すると、１は公衆トイレの扉枠で、この扉枠１の側端部には受け金具部材２が取付けられている。受け金具部材２は、公知のように貫通状態の案内孔３を有するストライク４と、このストライク４に適宜に固定されたトロヨケ５とから成る。そして、本実施例では磁石式起動手段としての第１永久磁石６が前記案内孔３よりも上方に位置するようにストライク４に固定されている。一方、７は公衆トイレの扉で、この扉７の開放端部には錠箱８並びにフロント板９が設けられている。錠箱８は受け金具部材２に対向するように扉７に内装されている。
【０００８】
さて、本発明の扉錠の解錠機構Ｘは、基本的には内開き式扉７の内壁面７ａ側に揺動可能に軸支されかつ駆動片３６を有するタッチプレート１１と、このタッチプレート１１に連動し、かつ、ラッチボルト、デッドボルトなどのボルト部材（障害部材）１２を引込み方向へと移動させるボルト引込み用連係部材１３とから構成されている。そこで、これらの基本的部材を順次説明する。
【０００９】
まず、図２乃至図４を参照にタッチプレート１１等について説明する。公衆トイレの扉７は、普通一般にグラビティヒンジなとのドアオープナーにより内開き式となっている。したがって、本実施例において、長板枠状のタッチプレート１１は、扉７の内壁面７ａ側にその背面部１１ａが利用者に見えるように取付けられている。
【００１０】
ところで、１４は扉１の内壁面７ａに固定された取付けベース板である。１５はこの取付けベース板１４に貫通状態に形成された切欠部である。この切欠部１５は、タッチプレート１１や後述する軸受板の形状に対応し、扉１の縦方向に所要の長さ及び所要幅を有して適宜に形成されている。タッチプレート１１は、この切欠部１５内にその下方部から上方部に至るにしたがって扉７の内壁面７ａからやや斜め状態に突出するように上下２本の固定軸２４、３３を介して軸支されている。
【００１１】
しかして、１７は扉７の内壁面７ａとは反対側の内部（錠箱８側）で、かつ、前記切欠部１５の上部と交差するように扉７に固定された第１の軸受板である。この第１の軸受板１７は、全体として逆Ｔ字型形状をしており、複数個の固着具１８を介して固定されている。また軸受板１７は、中央部に切欠部１５と連通する縦方向の細幅状案内窓１９を有し、この案内窓１９を基準とするタッチプレート１１の腹面部１１ｂ側と対向する一側面下部には、タッチプレート用バネ部材２１の一端部を支持する突起状バネ支持具２２が固定的に設けられている。さらに、軸受板１７の一側面には、前記バネ支持具２２と案内窓１９との間に位置するように突起状軸受け部２３が形成され、該軸受け部２３には横方向に第１の固定軸２４が設けられている。
【００１２】
タッチプレート１１は、切欠部１５内の上方部寄りに位置する固定軸２４に案内長孔２５を介して軸支されている。タッチプレート１１の上部側壁に形成された案内長孔２５は、本実施例ではタッチプレート１１が起立状態で錠箱８方向に揺動する関係上、横方向の長孔となっている。またタッチプレート１１は、前述したバネ部材２１で、少なくともその頭部（上部）１６が扉７の内壁面７ａから常時突出するように付勢されている。
【００１３】
さらに、タッチプレート１１の頭部１６の背面部１１ｂには、第１の凹所２７が形成され、この凹所２７内の垂直面の下部寄りの部位には、さらにバネ支持具２２と対向するバネ端部支持用嵌合溝２８が形成されている。なお、タッチプレート１１の頭部１６の背面部１１ｂは、「腹をへこましたように」やや削り取られている。
【００１４】
一方、３０は第１の軸受板１７の真下に位置し、かつ、切欠部１５の下部と交差するように扉７に複数個の固着具３１を介して固定された第２の軸受板である。この第２の軸受板３０も第１の軸受板１７と同様に一側面に突起状軸受け部３２を有し、該軸受け部３２にタッチプレート１１の下部２６を枢支する第２の固定軸３３が設けられている。第２の固定軸３３も第１の固定軸２４と同様に切欠部１５内に位置している。また軸受け部３２も、第１の軸受け部２３と同様にタッチプレート１１の下部２６に形成した第２の凹所３４内に入込んでいる。
【００１５】
次にタッチプレート１１が備えている横Ｔ字型状の駆動片３６について説明する。駆動片３６はタッチプレート１１の第１の凹所２７に前述した第１の固定軸２４と、この第１の固定軸２４よりも上方に位置する可動軸３７を介して傾倒可能に軸支されている。この駆動片３６は、本実施例ではタッチプレート１１の頭部１６の腹面部１１ｂに軸支され、かつ、タッチプレート１１の前後方向の揺動に追従して所定範囲内で回動する。
【００１６】
しかして、図３で示すように、横Ｔ字形状の駆動片３６の基部３８は、可動軸３７に枢支されていると共に、該基部３８から下方方向へと延在する駆動片３６の反対側の端部（下端部）は、第１の固定軸２４に軸支されている。付言すると、可動軸３７に枢支された基部３８は第１の凹所２７内に常時位置している。３９は基部３８側から錠箱８方向へ指向して突出する駆動片３６の駆動腕で、この駆動腕３９は、タッチプレート１１が普通の常態である場合を示す図３を基準にすると、基部３８側から略水平状態に延びている。
【００１７】
したがって、駆動腕３９は、タッチプレート１１の頭部が押圧により扉７の切欠部１５内へと回転した場合を示す図５を基準にすると、基部３８側はタッチプレート１１の動きに追従して第１の固定軸２４を支点に時計方向へと所定量回転するので、第１の固定軸２４に対して左側に位置（オフセット）していた可動軸２７は、基部３８側と同方向へと移行（変位）し、右側に多少オフセット状態になる。それ故に、駆動腕３９は下方方向へと傾倒し、「恰も御辞儀したような格好」となる。
【００１８】
次に、図６乃至図８を参照にボルト引込み用連係部材１３について説明する。ボルト引込み用連係部材１３は、前述したように駆動片３６を有するタッチプレート１１に連動し、かつ、ラッチボルト、デッドボルトなどのボルト部材１２を引込み（解錠）方向へと移動させる。本実施例のボルト引込み用連係部材１３は、錠箱８に摺動自在に取付けられた上下方向の従動片４１と、この従動片４１と前記ボルト部材１２とを連結するＬ型状リンク４２とから構成されている。
【００１９】
そこで、まず従動片４１について説明する。縦板状の従動片４１は、錠箱８の下壁部に形成した貫通状態の嵌合部４３に摺動自在に嵌め込まれている。嵌合部４３は、本実施例では従動片４１がスムースに上下動するように立上がり状の周壁となっている。従動片４１は、図６を基準にすると、上端（内端）部側４１ａが錠箱８内に貫入し、一方、中央部を含む下端（外端）部側４１ｂは錠箱８の下壁部から突出状態に垂下している。しかして、前記下端（外端）部側４１ｂには矩形状係合孔４４が設けられ、該係合孔４４に前述した駆動片３６の駆動腕３９が常時係合している。
【００２０】
次に連結部材としてのリンク４２について説明する。リンク４２は、ボルト部材１２と従動片４１とを連結することができるように錠箱８に軸架された横軸４５に軸支されている。上方に指向する長杆部４２ａはボルト部材１２に枢支ピン４６を介して適宜に取付けられ、一方、従動片４１に指向する短杆部４２ｂは従動片４１の上端部に第２の枢支ピン４７を介して適宜に取付けられている。したがって、Ｌ型状リンク４２は、従動片４１の上下動に追従して横軸４５を支点に回動する。
【００２１】
最後に連係部材１３によって後退動するボルト部材１２について説明する。ボルト部材１２は、公知のように錠箱８に適宜に内装されたラッチバネ等のボルトバネ４８を介して突出方向に常時付勢されている。本実施例のボルト部材１２はデッドボルトが使用され、その突出先端部１２ａには合成樹脂製のローラ４９が設けられている。また錠箱８内に常時位置するボルト本体部１２ｂの上壁には、ボルト部材の進退動方向に係合歯５０が設けられている。なお、ボルト部材１２は錠箱８内の図示しない案内手段を介して進退動する。
【００２２】
以上が扉錠の解錠機構Ｘであるが、本実施例の錠箱８には、さらに後退動したボルト部材１２を一時的にロックする錠止機構Ｙが付設されている。そこで、説明の便宜上、錠止機構Ｙを構成する各部材について簡単に説明する。５２は錠箱８内の上部に横設されたトリガー部材で、このトリガー部材５２の先端部には、前述した磁石式起動手段（第１永久磁石）６の磁極に対応して反発する第２永久磁石５３が固定されている。トリガー部材５２は、トリガーバネ５４で常時突出方向に付勢されている。
【００２３】
５５はトリガー部材５２の後端部側とボルト部材１２のボルト本体部１２ｂとの間に枢軸５６を介して横方向に配設されたバー状ロック片で、このロック片５５の先端部にはボルト部材１２の係合歯５０に選択的に係合可能な係止爪５５ａが形成されている。ロック片５５は枢軸５６に巻装等されたロックバネ５７により、その係止爪５５ａが係合歯５０に係合する方向に付勢されている。５８はトリガー部材５２の後端部に固定されたロック片用係合押圧片で、この係合押圧片５８はロック片５５の後端部に乗っかるような格好をして係合している。
【００２４】
【実施例】
図２で示すようにタッチプレート１１の脚部（下部）２６も扉７の内壁面７ａからやや突出しているが、本実施例では望ましくは頭部１６の突出量は脚部２６のそれに対して３倍程度である。タッチプレート１１の形態は特に問わないが、ある程度長板状であることが望ましい。また、後退動したボルト部材１２を一時的にロックする錠止機構Ｙにおいて、ロック片５５の係合爪５５ａと係合する係合歯５０は、係合部の一例であるから、例えば係合溝であっても良い。さらに、本発明の付設した錠止機構Ｙは、図９及び図１０で示すように、扉枠１側の受け金具部材２Ａに摺接するローラ５３Ａを有するトリガー部材５２Ａと、このトリガー部材５２Ａを突出方向に常時付勢するトリガーバネ５４と、トリガー部材５２の後端部側とボルト部材１２のボルト本体部１２ｂとの間に枢軸５６を介して横方向に配設されかつボルト部材１２の係合部５０に係合可能な係止爪５５ａを有するバー状ロック片５５と、トリガー部材５２の後端部に固定されたロック片用係合押圧片５８と、前記バー状ロック片５５を軸支する枢軸５６に設けられたロックバネ５７とから構成されていても良い。つまり、第２永久磁石に代えて摺動ローラを採用しても同様の効果を得ることができる。
【００２５】
【発明の効果】
以上の説明から明らかなように、本発明にあっては、次に列挙するような作用・効果がある。
（１）特に身体障害者や高齢者に優しいドア錠を提供することができる。
（２）ラッチボルト、デッドボルトなどのボルト部材１２の解錠をワンタッチ操作で行える。すなわち、タッチプレート１１の頭部１６を指で押すと、タッチプレート１１の駆動片３６がタッチプレートの動きに追従して「恰も御辞儀したような格好」に傾倒するので、ボルト引込み用連係部材１３が作動し、その結果、ボルト部材１２がボルトバネ４８のバネ力に抗してスムースに後退動する。
（３）錠箱８に、受け金具部材２の磁石式起動手段６の磁極に対応して反発する第２永久磁石５３を有するトリガー部材５２等を備える錠止機構Ｙが付設されている実施例の場合には、扉７を閉じると永久磁石の反発力によりトリガー部材５２がトリガーバネ５４のバネ力に抗して後退するので、係合押圧片５８の係合爪がボルト部材１２の係合歯から離れ、ボルト部材１２がボルトバネ４８のバネ力により、直ちに受け金具部材２の方向へと前進して施錠状態となる。
（４）一方、前記（３）の施錠状態に於いて、利用者がタッチプレート１１をワンタッチ式に操作し、前述したようにボルト部材１２が後退動した状態で扉７を開くと、磁力の影響から解放されたトリガー部材５２がトリガーバネ５４によって前進するので、ロック片用係合押圧片５８が直ちに（自動的に）ボルト部材１２をロックする。
（５）扉錠の解錠機構Ｘを構成する各部材を合理的に組み立てることができる。
【図面の簡単な説明】
図１乃至図８は本発明の一実施例を示す各説明図。
【図１】発明の実施形態の一例を示す概略説明図。
【図２】タッチプレート、軸受板などの主要部を右側面から見た概略断面説明図。
【図３】図２に於いて、タッチプレートの駆動片等を説明する要部の概略断面説明図。
【図４】図２に於いて、背面（錠箱側）から見た説明図。
【図５】図３に於いて、タッチプレートの頭部を指で押し込んだ場合の駆動片の作動状態を示す概略説明図。
【図６】閉扉した際にボルト部材１２等の状態を示す概略説明図。
【図７】図６に於いて、タッチプレートを指で押し込んだ場合の解錠機構Ｘの概略説明図。
【図８】図７に於いて、開扉した場合の錠止機構Ｙの概略説明図。
【図９】錠止機構の他の例を示す一部縦断面説明図。
【図１０】図９を基準とした錠止機構の他の例を示す一部横断面説明図。
【図１１】従来の一例を示す概略説明図。
【符号の説明】
Ｘ…解錠機構、Ｙ…錠止機構、１…扉枠、２，２Ａ…受け金具部材、６…磁石式起動手段、７…扉、７ａ…内壁面、８…錠箱、９…フロント、１１…タッチプレート、１１ａ…背面部、１１ｂ…腹面部、１２…ボルト部材、１３…ボルト引込み用連係部材、１４…取付けベース板、１５…切欠部、１６…頭部、１７…第１の軸受板、２１…バネ部材、２２…バネ支持具、２３，３２…軸受け部、２４…第１の固定軸、２５…案内長孔、２６…脚部、２７…第１の凹所、２８…嵌合溝、３０…第２の軸受板、３３…第２の固定軸、３４…第２の凹所、３６…駆動片、３７…可動軸、３８…基部、３９…駆動腕、４１…従動片、４２…リンク、４３…嵌合部、４４…係合孔、４５…横軸、４６，４７…枢支ピン、４８…ボルトバネ、５０…係合歯、５２、５２Ａ…トリガー部材、５３…第２永久磁石、５３Ａ…ローラ、５４…トリガーバネ、５５…ロック片、５６…枢軸、５７…ロックバネ、５８…係合押圧片。
【図１】
0004111647.tif 000002
【図２】
0004111647.tif 000003
【図３】
0004111647.tif 000004
【図４】
0004111647.tif 000005
【図５】
0004111647.tif 000006
【図６】
0004111647.tif 000007
【図７】
0004111647.tif 000008
【図８】
0004111647.tif 000009
【図９】
0004111647.tif 000010
【図１０】
0004111647.tif 000011
【図１１】
0004111647.tif 000012